(57)【要約】【課題】スマートフォン等の携帯型情報端末機に固定的に一体に取り付け可能であり、かつ携帯時の邪魔にならない携帯用警笛を提供すること。【解決手段】携帯型情報端末機４のイヤホンジャック５内周部５ａと弾性嵌合される嵌合部２ｂを有する軸部２と、吹込口６を有するノズル部７及び共鳴室８ａを有する音響機能部８を少なくとも具備する笛機能部と、が一体に構成されてなる。【選択図】図２
2015065535.tif 000002
【特許請求の範囲】
【請求項１】
携帯型情報端末機のイヤホンジャック内周部と弾性嵌合される嵌合部を有する軸部と、吹込口を有するノズル部及び共鳴室を有する音響機能部を少なくとも具備する笛機能部と、が一体に構成されてなることを特徴とする携帯用警笛。
【請求項２】
前記笛機能部の少なくとも一部が、前記軸部の軸方向と平行になるように延設されており、前記携帯用警笛の携帯型情報端末機装着時に前記笛機能部の少なくとも一部が背面部に沿って延びるようになっていることを特徴とする請求項１に記載の携帯用警笛。
【請求項３】
前記音響機能部は前記ノズル部にほぼ直角に交わる構造になっており、前記携帯用警笛の携帯型情報端末機装着時に、前記音響機能部と前記ノズル部とがそれぞれ選択的に前記携帯型情報端末機の背面部または側面部に当接することを特徴とする請求項１または２に記載の携帯用警笛。
【請求項４】
前記音響機能部に、前記携帯用警笛の軸部が形成されており、前記軸部とイヤホンジャックとの嵌合時に、前記携帯型情報端末機の背面部と前記ノズル部とが、そして側面部と前記音響機能部とがそれぞれ当接することを特徴とする請求項１ないし３のいずれかに記載の携帯用警笛。
【請求項５】
前記笛機能部の一部が、前記軸部のイヤホンジャック装着時に前記携帯型情報端末機のイヤホンジャックを有する側面部に当接する内面を有することを特徴とする請求項１ないし４のいずれかに記載の携帯用警笛。
【請求項６】
前記軸部は、イヤホンジャック内周部と環状に接触する一又は二以上の突出部が形成されていることを特徴とする請求項１ないし５のいずれかに記載の携帯用警笛。
【請求項７】
前記軸部は、前記イヤホンジャックの内周部の凸部に嵌合可能な凹部が設けられていることを特徴とする請求項１ないし６のいずれかに記載の携帯用警笛。
【請求項８】
前記音響機能部は、伸縮自在な伸縮部を有し、該伸縮部を伸縮させて前記共鳴室の大きさを調整可能とすることを特徴とする請求項１ないし７のいずれかに記載の携帯用警笛。
【請求項９】
前記軸部は、イヤホンに転結されたイヤホンプラグであることを特徴とする請求項１ないし８のいずれかに記載の携帯用警笛。
【発明の詳細な説明】
【技術分野】
【０００１】
本発明は、非常事態や、身に危険を感じた場合等に、自分の居場所やその状況等を知らせるための携帯用警笛に関する。
【背景技術】
【０００２】
従来、地震等の災害に遭遇した場合、倒壊物により身動きがとれない状況、誘拐等により自分の身に危険を感じた場合等、様々な非常事態の状況によって居場所を知らせたり、早期救助を促すため、笛が有効であることが明らかになっている。そのため、外出時や就寝時等にいつでも笛を身近に所持していることが非常事態の備えになる。
【０００３】
常時携帯という必要性から、携帯電話などと一緒に運べるように携帯電話に笛機能を持たせたものの一例として、携帯電話本体の上部に伸縮自在に設けられたアンテナの先端に、空気吹き込み口、空気排気口及び空気たまりからなる警笛手段が設けられたものがある（特許文献１参照）。
【０００４】
また、携帯電話用ストラップに接続具を介して笛を取り付けた携帯電話用ストラップがある（特許文献２参照）。
【先行技術文献】
【特許文献】
【０００５】
【特許文献１】特開２００３−２９８７１０号公報（第３，４頁、第１図、第３図、第５図）
【特許文献２】実用新案登録第３０７３８５７号公報（第２頁、第１図）
【発明の概要】
【発明が解決しようとする課題】
【０００６】
しかしながら、特許文献１にあっては、携帯電話本体自体に空気吹き込み口、空気排気口、及び空気たまり等を構成して警笛手段を設ける手法であり、汎用性が要求される携帯電話やスマートフォンの本体に特許文献１の手法を採用することは現実的には不可能である。
【０００７】
また、特許文献２にあっては、笛のついたストラップを携帯電話やスマートフォンに取り付けようとしても、携帯市場の半数を超えたといわれるスマートフォンには従来の携帯電話と異なりストラップを取り付けるためのストラップホールを有しないものも多く、笛のついたストラップを必ずしも取り付けることができないという問題があった。また、笛のついたストラップを携帯電話に取り付けると、携帯電話を鞄やポケット等に入れた場合に他の小物等とストラップが絡まって邪魔になるばかりでなく、ストラップ先端の笛が液晶画面に頻繁に接触し、画面に傷がついてしまうという問題があった。
【０００８】
本発明は、このような問題点に着目してなされたもので、スマートフォン等の携帯型情報端末機に固定的に一体に取り付け可能であり、かつ携帯時の邪魔にならない携帯用警笛を提供することを目的とする。
【課題を解決するための手段】
【０００９】
前記課題を解決するために、本発明の携帯用警笛は、
携帯型情報端末機のイヤホンジャック内周部と弾性嵌合される嵌合部を有する軸部と、吹込口を有するノズル部及び共鳴室を有する音響機能部を少なくとも具備する笛機能部と、が一体に構成されてなることを特徴としている。
この特徴によれば、携帯型情報端末機に設けられているイヤホンジャックに対して携帯用警笛の軸部を差し込むことで、軸部とイヤホンジャックの内周部との弾性嵌合が達成され、携帯型情報端末機に携帯用警笛が固定的に一体に取り付けられることになる。また携帯用警笛と携帯型情報端末機との一体性が高いため、携帯時の邪魔になることがない。
【００１０】
前記笛機能部の少なくとも一部が、前記軸部の軸方向と平行になるように延設されており、前記携帯用警笛の携帯型情報端末機装着時に前記笛機能部の少なくとも一部が背面部に沿って延びるようになっていることを特徴としている。
この特徴によれば、前記携帯用警笛を携帯型情報端末機に装着した時、機能的にスペースの必要な笛機能部の少なくとも一部を前記携帯型情報端末機の背面部で確実に保持できることとなり携帯時に邪魔にならず、携帯性が向上する。
【００１１】
前記音響機能部は前記ノズル部にほぼ直角に交わる構造になっており、前記携帯用警笛の携帯型情報端末機装着時に、前記音響機能部と前記ノズル部とがそれぞれ選択的に前記携帯型情報端末機の背面部または側面部に当接することを特徴としている。
この特徴によれば、前記携帯用警笛を携帯型情報端末機に装着した時、携帯用警笛が携帯型情報端末機に対して携帯型情報端末機の背面部と側面部とで確実に回転止めされ、前記携帯用警笛と携帯型情報端末機とが一体化し携帯性が向上する。
【００１２】
前記音響機能部に、前記携帯用警笛の軸部が形成されており、前記軸部とイヤホンジャックとの嵌合時に、前記携帯型情報端末機の背面部と前記ノズル部とが、そして側面部と前記音響機能部とがそれぞれ当接することを特徴としている。
この特徴によれば、前記携帯用警笛を携帯型情報端末機に装着した時、長さの必要なノズル部を前記携帯型情報端末機の背面部で確実に保持できることとなり、携帯時にノズル部が邪魔にならず、携帯性が向上する。
【００１３】
前記笛機能部の一部が、前記軸部のイヤホンジャック装着時に前記携帯型情報端末機のイヤホンジャックを有する側面部に当接する内面を有することを特徴としている。
この特徴によれば、軸部のイヤホンジャック装着時に、笛機能部の一部と携帯型情報端末機の側面部とが面当接することで、携帯型情報端末機のイヤホンジャックが常時覆われ、イヤホンジャック内に埃やダストが侵入することを防止することができる。
【００１４】
前記軸部は、イヤホンジャック内周部と環状に接触する一又は二以上の突出部が形成されていることを特徴としている。
この特徴によれば、軸部の突出部がイヤホンジャック内周部と環状に接触しているためイヤホンジャック内に埃やダストが侵入することを防止することができる。
【００１５】
前記軸部は、前記イヤホンジャックの内周部の凸部に嵌合可能な凹部が設けられていることを特徴としている。
この特徴によれば、軸部のイヤホンジャック装着時に、軸部に設けられた凹部がイヤホンジャック内周部の凸部に嵌合するため、イヤホンジャック内から軸部が抜け出すのを防止することができる。
【００１６】
前記音響機能部は、伸縮自在な伸縮部を有し、該伸縮部を伸縮させて前記共鳴室の大きさを調整可能とすることを特徴としている。
この特徴によれば、軸頭部を伸縮自在とすることができるため笛として使用しない場合には伸縮部を収縮させて携帯用警笛をコンパクト化することができるとともに、笛として使用する場合には伸縮部を伸長させて共鳴室を大きくすることで笛から発生した原音を増幅させ音量を大きくすることができる。
【００１７】
前記軸部は、イヤホンに転結されたイヤホンプラグであることを特徴としている。
この特徴によれば、軸部をイヤホンジャックに装着して音楽などを視聴できる携帯用警笛として使用できる。
【図面の簡単な説明】
【００１８】
【図１】実施例１における携帯用警笛を示す斜視図である。
【図２】同じく携帯用警笛を示す斜視図である。
【図３】携帯用警笛の構造を示す分解斜視図である。
【図４】携帯用警笛を示す側断面図である。
【図５】軸部材がイヤホンジャック内に挿入された状態を示す側断面図である。
【図６】携帯用警笛の変形例を示す正面斜視図である。
【図７】同じく携帯用警笛の変形例を示す背面斜視図である。
【図８】実施例２における携帯用警笛を示す側面図及び側断面図である。
【図９】伸縮部の変形例を示す側面図及び側断面図である。
【図１０】実施例３における携帯用警笛を示す斜視図である。
【発明を実施するための形態】
【００１９】
本発明に係る携帯用警笛を実施するための形態を実施例に基づいて以下に説明する。
【実施例１】
【００２０】
実施例１に係る携帯用警笛につき、図１から図５を参照して説明する。図１に示されるように、携帯用警笛１は、非常事態の場合に自分の居場所やその状況等を知らせる手段として後述する笛機能部を有しているとともに、一般的に普及率の高いスマートフォン等の携帯型情報端末機４（以下、単に端末機４という）に装着することで非常事態時の備えとして身近に所持できるものである。
【００２１】
尚、本実施例において携帯用警笛１をスマートフォンに装着する例を示すが、装着されるものはスマートフォンに限定されるものではなく、携帯型のタブレット端末、ミュージックプレイヤー、ＩＣレコーダーといった一般的な携帯型情報端末機であってもよい。
【００２２】
図１ないし図３に示されるように、携帯用警笛１は、端末機４のイヤホンジャック５に差し込み可能な軸部材２と、端末機４に装着時に端末機４の外部に露出する軸頭部材３と、を備えている。
【００２３】
軸部材２は、一端側に外径方向に張り出す張出部２ａが設けられているとともに、他端側に断面視Ｖ字状の嵌合部２ｂが設けられている。更に、軸部材２の外周面２ｃには、周方向に沿って凹条部２ｄが所定間隔離間して２条設けられている（凹部）。換言すれば、軸部材２の外周面２ｃは、凹条部２ｄ，２ｄの外径よりも大径であり、後述するように、軸部材２がイヤホンジャック５に差し込まれたときにイヤホンジャック５の内周面５ａに環状に接触する突出部として機能している。また、この軸部材２は、ゴムなどの弾性を有する材料によって形成されている。
【００２４】
軸頭部材３は、直線状に延び、端部に吹込口６を有するノズル部７と、ノズル部７における吹込口６と反対側の端部から膨出する音響機能部８と、吹込口６から吹き込まれた空気の一部を外部へ排出する排気口９と、を備えている。音響機能部８の内部は、中空状態の共鳴室８ａとなっており、この共鳴室８ａと吹込口６とは、ノズル部７に沿って延びる通気路７ａによって連通している。また、排気口９は、通気路７ａと外部とが連通するようにノズル部７に設けられている。
【００２５】
また、ノズル部７の軸部材２側の面には、合成樹脂等により形成された弾性部材１０が貼着されている。
【００２６】
この軸頭部材３の吹込口６に空気を吹き込むと、吹き込まれた空気の一部が、排気口９から排出されて音が出るとともに、それ以外の空気が共鳴室８ａ内を回動し、共鳴室８ａにて音が増幅されるようになっている。つまり、ノズル部７と音響機能部８とは、前述した笛機能部として機能している。
【００２７】
より詳しくは、図３に示されるように、軸頭部材３は、射出成型されたプラスティック等により形成された左右対称形状をなす分割部材１１，１２により構成されている。尚、この分割部材１１，１２は、必ずしも左右対称形状に限らず、上下に分割されそれぞれ異なる形状であってもよいし、２分割に限られず、３つ以上の複数に分割されてもよい。更に尚、本実施例において分割部材１１，１２は、左右対称形状であるため、以下、分割部材１１のみを説明し、分割部材１２の説明を省略する。
【００２８】
図３及び図４に示されるように、分割部材１１は、直線状に延び長手方向に沿って連続した凹溝１３ａが形成された有溝片１３と、その有溝片１３の一端から延出した延出片１４とを備えており、延出片１４は、凹溝１３ａと連続して切り欠かれた切欠き溝１４ａを有する。また、有溝片１３には、凹溝１３ａを構成する壁部に外部と連通する切欠き部１３ｂが形成されている。
【００２９】
また、延出片１４には、有溝片１３から略直角に延出される直交部１５を有しており、その直交部１５には、軸部材２の半分を収容可能な軸収容部１６と、軸部材２の張出部２ａの半分を収容可能な張出収容部１７と、が切り欠いて形成されている。
【００３０】
図３に示されるように、軸収容部１６及び張出収容部１７に軸部材２と張出部２ａとをそれぞれ嵌合させた状態の分割部材１１に対して、分割部材１２の対向面を重ね合わせることにより、軸部材２が分割部材１１，１２により両側から挟み込まれる。そして、分割部材１１，１２同士の接合面を熱溶着等により接着させることにより、軸部材２と軸頭部材３とが一体的に形成される。このとき、軸部材２は、軸頭部材３のノズル部７と平行に並列するように延設される（図２参照）。
【００３１】
このように分割部材１１，１２同士が重ね合わせられることにより、各凹溝１３ａは、ノズル部７の通気路７ａとなり、各切欠き溝１４ａは、音響機能部８の共鳴室８ａとなり、各切欠き部１３ｂは、排気口９となる。また、前述した弾性部材１０は、分割部材１１，１２を接着して軸頭部材３が形成されたあとにノズル部７に貼着される。
【００３２】
このように形成された携帯用警笛１は、図５に示されるように、軸部材２を端末機４のイヤホンジャック５に差し込むことにより、端末機４に装着される。軸部材２をイヤホンジャック５に差し込んだ際には、軸部材２の外周面２ｃがイヤホンジャック５の内周面５ａに摺接し弾性変形しながら挿入され、軸部材２が適正位置まで差し込まれたときに、嵌合部２ｂがイヤホンジャック５の内径側に設けられた突出片５ｂに嵌合するとともに、イヤホンジャック５の内径側に設けられた凸部５ｃ，５ｃに凹条部２ｄ，２ｄが嵌合するようになり、軸部材２がイヤホンジャック５の内周面５ａに対して環状に圧接するように弾性復元する。
【００３３】
このように、軸部材２が適正位置まで差し込まれたときに、嵌合部２ｂ及び凹条部２ｄ，２ｄが、イヤホンジャック５の内径側に設けられた突出片５ｂ及び凸部５ｃ，５ｃにそれぞれ嵌合するため、軸部材２がイヤホンジャック５内から抜け出すのを防止できる。更に、軸部材２がイヤホンジャック５の内周面５ａと環状に圧接することにより、イヤホンジャック５内に埃やダストが侵入することを防止することができる。
【００３４】
また、軸部材２が適正位置まで差し込まれたときには、軸部材２の基端側である直交部１５の内面１５ａが、端末機４のイヤホンジャック５を有する側面部４ａに当接するとともに、ノズル部７の弾性部材１０が端末機４の背面部４ｂに当接する。このように、長さの必要なノズル部７を端末機４の背面部４ｂで確実に保持できることとなり、携帯時にノズル部７が邪魔にならず、携帯性が向上する。更に、ノズル部７の弾性部材１０が端末機４の背面部４ｂに当接し、ノズル部７が直接端末機４に当接することがないため、端末機４を傷つけることがなく、且つ、種々の端末機における形状の差異に対して弾性部材１０が弾性変形して端末機に当接するため、汎用性が高い。
【００３５】
更に、直交部１５の内面１５ａと端末機４の側面部４ａとが面当接することで、イヤホンジャック５が常時覆われ、イヤホンジャック５内に埃やダストが侵入することを防止することができる。
【００３６】
また、携帯用警笛１を端末機４に装着時には、端末機４の前面４ｃに携帯用警笛１の部位が突出しないようになっている。これにより、携帯用警笛１を端末機４に装着した状態であっても、端末機４の操作を阻害することがない。
【００３７】
このように、携帯用警笛１は、端末機４に設けられているイヤホンジャック５に対して軸部材２を差し込むことで、軸部材２とイヤホンジャック５の内周面５ａとの弾性嵌合が達成され、端末機４に携帯用警笛１が固定的に一体に取り付けられることになる。また携帯用警笛１と端末機４との一体性が高いため、携帯時の邪魔になることがない。
【００３８】
また、携帯用警笛１を端末機４に装着した時、携帯用警笛１の直交部１５の内面１５ａとノズル部７の弾性部材１０とが、端末機４に対して端末機４の背面部４ｂと側面部４ａとで確実に回転止めされ、携帯用警笛１と端末機４とが一体化し携帯性が向上する。
【００３９】
また、携帯用警笛の変形例として次のようなものもある。図６に示されるように、本変形例の携帯用警笛１００は、ノズル部７１に軸部材２１が設けられており、携帯用警笛１００を端末機４に装着時には、ノズル部７１の吹込口６１側の端部が端末機４の前面４ｃ側に突出しないようになっている。また、この軸部材２１は、直交部１５０と略平行に延びている。図７に示されるように、携帯用警笛１００を端末機４に装着時には、ノズル部７１の内面７１ａと端末機４の側面部４ａとが当接するようになるとともに、直交部１５０と端末機４の背面部４ｂとが当接するようになる。このように、携帯用警笛１００を端末機４に装着した時、音響機能部８１の直交部１５０を端末機４の背面部４ｂに当接させて携帯用警笛１００を端末機４に保持するようにしてもよい。
【実施例２】
【００４０】
次に、実施例２に係る携帯用警笛につき、図８を参照して説明する。尚、前記実施例と同一構成で重複する構成の説明を省略する。
【００４１】
図８に示されるように、携帯用警笛２００の音響機能部８２は、蛇腹状の伸縮部１８が直交部１５１のノズル部７２と反対側に設けられており、その伸縮部１８の端部には、把持片１９が突出している。
【００４２】
これによれば、携帯用警笛２００の笛機能を不使用時には、図８（ａ）に示されるように、伸縮部１８を収縮させることにより、携帯用警笛２００の大きさをコンパクトにして携帯性を向上させることができ、携帯用警笛２００の笛機能を使用時には、図８（ａ）に示されるように、使用者が把持片１９を把持し、伸縮部１８を伸長させて共鳴室８２ａを大きくすることで、発生した原音を増幅させ音量を大きくすることができる。
【００４３】
尚、伸縮部の変形例として次のようなものもある。図９（ａ），（ｂ）に示されるように、携帯用警笛３００の伸縮部１８１は、大きさのそれぞれ異なる筒体１８１ａ，１８１ｂ，１８１ｃがそれぞれの係合部３１，３１，…及び被係合部３２，３２，…によりテレスコピック状に係合されて構成されている。また、筒体１８１ａには、排気口９１が設けられているとともに、筒体１８１ｃには、軸部２２が固着された底板部１５２が固定されている。また、ノズル部７３は、通気路７３ａの内径側に突出する爪部７３ｂを有し、爪部７３ｂにより通気路７３ａが狭まっているとともに、筒体１８１ａ内に一部を収容可能に配置されている。尚、係合部３１，３１，…には、それぞれパッキン３３，３３，…が配置されており、図９（ａ）に示すように、携帯用警笛３００の笛機能を使用時には、係合部３１，３１，…及び被係合部３２，３２，…によりパッキン３３，３３，…が押し潰されて共鳴室８３ａの気密性が高まる。図９（ｂ）に示すように、携帯用警笛３００の笛機能を不使用時には、筒体１８１ａ，１８１ｂ，１８１ｃを収容することにより、携帯用警笛３００をコンパクト化できる。
【実施例３】
【００４４】
次に、実施例３に係る携帯用警笛４００につき、図１０を参照して説明する。尚、前記実施例と同一構成で重複する構成の説明を省略する。
【００４５】
携帯用警笛４００は、軸部材２３がイヤホンプラグであり、軸部材２３にイヤホン４１が信号線４２を介して転結されている。また、分割部材１１１には、半径孔部１１１ａが設けられているとともに、半径孔部１１１ａの内面には、シール部１１１ｂが固定されている。尚、分割部材１１２は、分割部材１１１と左右対称形状と成っているため、説明を省略する。
【００４６】
分割部材１１１，１１２を重ね合わせる際に、イヤホン４１の信号線４２を半径孔部１１１ａに嵌合させた状態とすることで、イヤホン４１が軸頭部３１１の外部に露出するようになる。さらに、信号線４２の周囲には、分割部材１１１側のシール部１１１ｂと分割部材１１２側のシール部（図示略）とが環状に当接するようになるため、軸頭部３１１の共鳴室８ａ内の気密性を損なうことがない。
【００４７】
このように形成された携帯用警笛４００は、軸部材２３をイヤホンジャック５に装着して音楽などを視聴できる携帯用警笛として使用できる。尚、軸部材２３は、有線形式のイヤホンのイヤホンプラグとして説明したが、例えば、軸部材に送信機を設けるとともに、イヤホンに受信機を設け、無線形式としても構わない。
【００４８】
以上、本発明の実施例を図面により説明してきたが、具体的な構成はこれら実施例に限られるものではなく、本発明の要旨を逸脱しない範囲における変更や追加があっても本発明に含まれる。
【００４９】
例えば、前記実施例では、軸部材２に嵌合部２ｂ及び凹条部２ｄ，２ｄが形成されており、嵌合部２ｂ及び凹条部２ｄ，２ｄにイヤホンジャック５内の突出片５ｂや凸部５ｃ，５ｃに嵌合させることで携帯用警笛１を端末機４に装着していたが、これに限られず、例えば、軸部の突出部がイヤホンジャック５の内周面５ａと圧接することのみで携帯用警笛を端末機４に装着してもよい。
【符号の説明】
【００５０】
１                携帯用警笛
２                軸部材（軸部）
２ｂ              嵌合部
２ｃ              外周面（突出部）
２ｄ              凹条部（凹部）
３                軸頭部材
４                携帯型情報端末機
４ａ              側面部
４ｂ              背面部
５                イヤホンジャック
５ａ              内周面（内周部）
５ｂ              突出片
５ｃ              凸部
６                吹込口
７                ノズル部
８                音響機能部
８ａ              共鳴室
９                排気口
１５              直交部
１５ａ            内面
１８              伸縮部
２１              軸部材（軸部）
２２              軸部
２３              軸部材（軸部）
６１              吹込口
７１              ノズル部
７１ａ            内面
７２，７３        ノズル部
８１，８２        音響機能部
８２ａ，８３ａ    共鳴室
９１              排気口
１００            携帯用警笛
１１１，１１２    分割部材
１５０，１５１    直交部
１８１            伸縮部
２００，３００    携帯用警笛
３１１            軸頭部
４００            携帯用警笛
【図１】
2015065535.tif 000003
【図２】
2015065535.tif 000004
【図３】
2015065535.tif 000005
【図４】
2015065535.tif 000006
【図５】
2015065535.tif 000007
【図６】
2015065535.tif 000008
【図７】
2015065535.tif 000009
【図８】
2015065535.tif 000010
【図９】
2015065535.tif 000011
【図１０】
2015065535.tif 000012